【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
低体温システムであって、
流体を含む流体源と、
伝熱面を有する熱交換器アセンブリと、
前記熱交換器アセンブリの伝熱面と結合するよう構成された熱交換器モジュールと、
前記熱交換器モジュールを介して前記流体源と流体連通するカテーテルと、
前記カテーテルを介して患者の体腔に流体を注入し、前記カテーテルを介して前記患者の体腔から流体を抽出するよう構成されたポンプ機構とを具えることを特徴とする低体温システム。
【請求項２】
請求項１に記載の低体温システムにおいて、前記伝熱面が熱電面であることを特徴とする低体温システム。
【請求項３】
請求項１に記載の低体温システムにおいて、前記熱交換器モジュールがさらに前記流体源および前記カテーテルと流体連通する通路を具えることを特徴とする低体温システム。
【請求項４】
請求項１に記載の低体温システムにおいて、前記熱交換器アセンブリがさらに、前記伝熱面と安定的に接触して熱交換器モジュールを連結するよう構成されたメカニズムを具えることを特徴とする低体温システム。
【請求項５】
請求項４に記載の低体温システムにおいて、前記メカニズムがドアであることを特徴とする低体温システム。
【請求項６】
請求項１に記載の低体温システムにおいて、前記ポンプ機構が前記流体と接触せずに前記流体を前記患者内に注入および前記患者外に抽出するよう構成されていることを特徴とする低体温システム。
【請求項７】
請求項１に記載の低体温システムにおいて、前記ポンプ機構が少なくとも１つの蠕動ポンプを具えることを特徴とする低体温システム。
【請求項８】
請求項１に記載の低体温システムにおいて、前記患者の体腔が腹膜腔であることを特徴とする低体温システム。
【請求項９】
請求項１に記載の低体温システムにおいて、前記患者の体腔が前記患者の血流の外部であることを特徴とする低体温システム。
【請求項１０】
低体温システムにおいて、
流体を含む流体源と、
伝熱面を有する熱交換器アセンブリであって、前記流体源と流体接続する熱交換器モジュールを受けるよう構成された熱交換器アセンブリと、
前記熱交換器モジュールと流体連通する注入ラインおよび抽出ラインの双方を受けるよう構成されたポンプ機構であって、前記流体と接触せずに前記流体を患者内に注入および患者外に抽出するよう構成されたポンプ機構とを具えることを特徴とする低体温システム。
【請求項１１】
請求項１０に記載の低体温システムにおいて、前記伝熱面が熱電面であることを特徴とする低体温システム。
【請求項１２】
請求項１０に記載の低体温システムにおいて、前記熱交換器アセンブリがさらに、前記伝熱面と安定的に接触して熱交換器モジュールを連結するよう構成されたメカニズムを具えることを特徴とする低体温システム。
【請求項１３】
請求項１２に記載の低体温システムにおいて、前記メカニズムがドアであることを特徴とする低体温システム。
【請求項１４】
請求項１０に記載の低体温システムにおいて、前記ポンプ機構が少なくとも１つの蠕動ポンプを具えることを特徴とする低体温システム。
【請求項１５】
請求項１０に記載の低体温システムがさらにカテーテルを具え、前記ポンプ機構が前記カテーテルを介して前記流体を前記患者内に注入および前記患者外に抽出するよう構成されていることを特徴とする低体温システム。
【請求項１６】
請求項１５に記載の低体温システムにおいて、前記カテーテルが腹腔内カテーテルであることを特徴とする低体温システム。
【請求項１７】
使い捨て低体温管理セットにおいて、
低体温機の伝熱面と結合するよう構成された熱交換器モジュールと、
前記熱交換器モジュールに取り付けられ、前記低体温機の流体源と流体連通して前記熱交換器モジュールに連結するよう構成されたリザーバコネクタと、
前記熱交換器モジュールと流体連通する注入ラインおよび抽出ラインであって、前記注入および抽出ライン内の流体に前記ポンプ機構を直接接触させずに前記低体温機のポンプ機構と結合するよう構成された注入および抽出ラインとを具えることを特徴とする低体温管理セット。
【請求項１８】
請求項１７に記載の使い捨て低体温管理セットにおいて、前記熱交換器モジュールがさらに前記流体源と前記注入および抽出ラインと流体連通する通路を具えることを特徴とする低体温管理セット。
【請求項１９】
請求項１７に記載の使い捨て低体温管理セットがさらに前記注入および抽出ラインと流体連通するカテーテルを具えることを特徴とする低体温管理セット。
【請求項２０】
請求項１９に記載の使い捨て低体温管理セットにおいて、前記カテーテルが腹腔内カテーテルであることを特徴とする低体温管理セット。
【請求項２１】
患者の体腔内を貫通するよう構成された進入検知装置において、
自身を通って延在するルーメンおよび組織を貫通する先端を有する細長いシャフトと、
前記ルーメンと流体連通する流体源であって、前記組織を貫通する先端が前記体腔へアクセスしたときに前記体腔内へ所定の量の流体を放出するよう構成された流体源とを具えることを特徴とする進入検知装置。
【請求項２２】
請求項２１に記載の進入検知装置がさらに、前記細長いシャフトに針を具えることを特徴とする進入検知装置。
【請求項２３】
請求項２１に記載の進入検知装置において、前記流体源が５ｍｌ乃至６０ｍｌの流体を保持することを特徴とする進入検知装置。
【請求項２４】
請求項２１に記載の進入検知装置において、前記流体源が少なくとも５０ｍｌの流体を保持することを特徴とする進入検知装置。
【請求項２５】
請求項２１に記載の進入検知装置がさらに、前記細長いシャフトに滑らかなコーティングを具えることを特徴とする進入検知装置。
【請求項２６】
請求項２１に記載の進入検知装置がさらに、超音波コーティングを具えることを特徴とする進入検知装置。
【請求項２７】
請求項２１に記載の進入検知装置がさらに、血栓形成コーティングを具えることを特徴とする進入検知装置。
【請求項２８】
請求項２１に記載の進入検知装置において、前記組織を貫通する先端が５ｍｍ乃至１２ｍｍの直径を有することを特徴とする進入検知装置。
【請求項２９】
請求項２１に記載の進入検知装置において、前記細長いシャフトがプラスチックを含むことを特徴とする進入検知装置。
【請求項３０】
請求項２１に記載の進入検知装置がさらに、前記流体源から前記体腔内への前記流体の放出を検出するよう構成されたセンサを具えることを特徴とする進入検知装置。
【請求項３１】
請求項２１に記載の進入検知装置がさらに、前記細長いシャフトの近位端の近くに配置されたテーパ部を具え、前記テーパ部が前記流体源と結合するよう構成されていることを特徴とする進入検知装置。
【請求項３２】
請求項２１に記載の進入検知装置において、前記流体源が前記細長いシャフトから取り外し可能であることを特徴とする進入検知装置。
【請求項３３】
請求項２１に記載の進入検知装置において、前記流体源が加圧されていることを特徴とする進入検知装置。
【請求項３４】
請求項２１に記載の進入検知装置において、前記流体の放出が受動的であることを特徴とする進入検知装置。
【請求項３５】
腹膜の注入および抽出カテーテルにおいて、
第１のルーメンおよび第２のルーメンと、
前記第１のルーメンの遠位部分の近くに配置した複数の抽出ポートであって、約０．０３５インチ乃至０．０４５インチの直径を有し、互いから約０．２インチの間隔を隔てた抽出ポートと、
前記第２のルーメンに配置された複数の注入ポートであって、当該注入ポートが前記抽出ポートから前記カテーテルに沿って近位に配置され、約０．０３５インチ乃至０．０４５インチの直径を有し、互いから約０．２５インチの間隔を隔てた注入ポートとを具えることを特徴とする腹膜の注入および抽出カテーテル。
【請求項３６】
請求項３５に記載の腹膜の注入および抽出カテーテルにおいて、前記第１のルーメンの断面積が前記第２のルーメンの断面積の２倍であることを特徴とする腹膜の注入および抽出カテーテル。
【請求項３７】
請求項３５に記載の腹膜の注入および抽出カテーテルにおいて、前記第１のルーメンの断面積が前記第２のルーメンの断面積の３倍であることを特徴とする腹膜の注入および抽出カテーテル。
【請求項３８】
請求項３５に記載の腹膜の注入および抽出カテーテルがさらに、積分圧力センサを具えることを特徴とする腹膜の注入および抽出カテーテル。
【請求項３９】
請求項３８に記載の腹膜の注入および抽出カテーテルにおいて、前記積分圧力センサが流体柱（ｆｌｕｉｄ  ｃｏｌｕｍｎ）であることを特徴とする腹膜の注入および抽出カテーテル。
【請求項４０】
請求項３８に記載の腹膜の注入および抽出カテーテルにおいて、前記積分圧力センサが電子圧力センサであることを特徴とする腹膜の注入および抽出カテーテル。
【請求項４１】
請求項３５に記載の腹膜の注入および抽出カテーテルにおいて、前記腹膜の注入および抽出カテーテルが毎分約１．３乃至２リットルの速度で前記複数の注入ポートを介して患者に体温低下溶液を送るよう構成されていることを特徴とする腹膜の注入および抽出カテーテル。
【請求項４２】
請求項３５に記載の腹膜の注入および抽出カテーテルがさらに、前記注入ポートの近くに配置された温度センサを具え、前記温度センサが体温低下溶液が患者に送達されるときに体温低下溶液の輸液温度を測定するよう構成されていることを特徴とする腹膜の注入および抽出カテーテル。
【請求項４３】
請求項３５の腹膜の注入および抽出カテーテルがさらに、前記カテーテルの遠位端の近くに配置された重りを具えることを特徴とする腹膜の注入および抽出カテーテル。
【請求項４４】
請求項４３に記載の腹膜の注入および抽出カテーテルにおいて、前記重りが磁石であることを特徴とする腹膜の注入および抽出カテーテル。
【請求項４５】
請求項３５に記載の腹膜の注入および抽出カテーテルがさらに、前記第２のルーメンの遠位部分の近くに配置された更なる抽出ポートを具え、前記腹膜の注入および抽出カテーテルがさらに、前記第１および第２のルーメンの間に配置された接続ポートを具え、前記第１と第２のルーメン間の流体連通を可能にすることを特徴とする腹膜の注入および抽出カテーテル。
【請求項４６】
請求項３５に記載の腹膜の注入および抽出カテーテルにおいて、前記複数の抽出ポートが前記カテーテルの周りに半径方向に配置されることを特徴とする腹膜の注入および抽出カテーテル。